(57)【要約】 【課題】装飾態様の変化に意外性を付与することができる可動装飾装置を提供する。【解決手段】可動装飾装置を、開口部１１の裏側に配設される基台と、基台に備えられた共通のモータＭにより開口部１１を開閉する折り畳み式の扉１と、開口部１１の開放に連動してモータＭにより開口部１１より前方に突出される装飾部材５と、により構成する。モータＭに部分ギア２を回動可能に接続し、左右の扉１の裏側に開閉アーム１５、１６を軸着する。開閉アーム１５を部分ギア２によって回動可能に接続するとともに、開閉アーム１５、１６をリンク棒１８により接続する。さらに、部分ギア２により回動される進退用アーム７を基台に枢設するとともに、装飾部材５を前後方向に摺動可能なガイド棒５２に取り付け、この装飾部材５に進退用アーム７の先端を軸着する。【選択図】図１２
2007296256.tif 000002
【特許請求の範囲】
【請求項１】
開口部の裏側に配設され、駆動源を備えた基台と、
駆動源により作動される開閉機構によって開口部を開閉する左右一対の折り畳み式の扉と、を備えることを特徴とする遊技機の可動装飾装置。
【請求項２】
開口部の裏側に配設され、駆動源を備えた基台と、
駆動源により作動される開閉機構によって開口部を開閉する左右一対の折り畳み式の扉と、
扉の開閉に連動して前記駆動源により開口部より突出、後退される装飾部材と、からなることを特徴とする遊技機の可動装飾装置。
【請求項３】
開閉機構は、
駆動源に接続された動力伝達部材と、
この動力伝達部材によって回動され、先端が一方の扉の裏側に枢着された主動側開閉アームと、
前記動力伝達部材によってリンク機構を介して回動され、先端が他方の扉の裏側に枢着された従動側開閉用アームと、からなる請求項１又は２に記載の遊技機の可動装飾装置。
【請求項４】
基台に装飾部材を前後方向に摺動可能として配設して、
この装飾部材に、扉を開放した後の動力伝達部材と係合して回動される進退用アームの先端を枢着したうえに、
主動側開閉アームを、扉を開放する方向に付勢部材により付勢し、
従動側開閉アームをリンク機構を介して主動側開閉アームと接続して扉を開放する方向に付勢して、
進退用アームが、装飾部材を開放された開口部より前方に押し出すようにした請求項２又は３に記載の遊技機の可動装飾装置。
【請求項５】
進退用アームを、遊技部品が後退される方向に付勢部材により付勢した請求項４に記載の遊技機の可動装飾装置。
【請求項６】
基台に前後方向に摺動可能なガイド棒を立設して、このガイド棒の先端に装飾部材を固定したうえに、
ガイド棒の左右にはローリング用ピンを下向き又は上向きに突設するとともに、装飾部材にはローリング用ピンによって押圧される突片を前後に位置をずらして配置して、
装飾部材が前後動するときにガイド棒を中心にローリングするようにした請求項４又は５に記載の遊技機の可動装飾装置。
【発明の詳細な説明】
【技術分野】
【０００１】
本発明は、遊技機の遊技盤に配設される可動装飾装置に関するものである。
【背景技術】
【０００２】
遊技機の遊技盤に配設される従来の遊技部品として、例えば特許文献１、２に開示されたものが知られている。
特許文献１のものは、図柄表示装置を視認可能なように形成された図柄表示領域透視部を備えた本体と、図柄表示透視部側に所定角度傾斜した状態で本体に取付けられた演出表示装置とを備え、演出表示装置は、開閉可能に設けられた開閉部材（扉）と、開閉部材の後側に設けられた演出表示部と、開閉部材を開閉させるための開閉部材駆動伝達機構とを備え、開閉部材駆動伝達機構の駆動と演出表示部の表示がそれぞれ所定のタイミングで行われるように構成されている。前記開閉部材は、左右一対の半円形状皿形部材からなり、これらが各々支軸を中心として回転することにより開閉される構造となっている。
【０００３】
しかしながら、遊技盤面とその前方のガラス板との距離は、法令（遊技機の認定及び型式の検定等に関する規則）で１３〜２５ｍｍと定められているので、定められた幅以上に開閉部材の幅を取ることができない。よって、演出表示部を大きくすることができず、演出効果の盛り上げに限界があるものであった。また、演出表示部は単に図柄を平面的に表示するにすぎない変化に乏しいものであった。
【０００４】
特許文献２のものは、遊技盤の奥行き方向に、機械的稼動部材（装飾部材）として前側可動部材及び後側可動部材を配設し、互いに親子の関係とすることで、複数のフラップの開放中のみ、可動部の露出、退避動作が行えるように構成したものである。しかしながら、複数のフラップが解放時においても装飾部材の一部を覆って視認不能としているので、当該装飾部材の演出効果を十分に発揮させることができない。また、装飾部材は単に軸を中心に左右に揺動するだけの単純な動作を行うのみで、変化の態様において意外性に欠けるものであった。
【０００５】
以上のように従来のものは、開口部の間口を広く取ることができない、フラップなどの開閉部材が装飾部材の一部を視認不能に覆ってしまう、装飾部材の変化が意外性に乏しいなどのいくつかの問題があった。
【特許文献１】特開２００５−５２２８９号公報  (図１)
【特許文献２】特開２００４−８１５２５号公報  (図５)
【発明の開示】
【発明が解決しようとする課題】
【０００６】
本発明は、上記した従来の問題点に鑑み、開口部の間口を広く取ることができるうえ、扉が装飾部材を覆うことがなく、且つ、装飾部材の変化に意外性を付与することができる遊技機の可動装飾装置を提供することを課題とする。
【課題を解決するための手段】
【０００７】
上記の課題を解決するためになされた本発明の遊技機の可動装飾装置は、
開口部の裏側に配設され、駆動源を備えた基台と、
駆動源により作動される開閉機構によって開口部を開閉する左右一対の折り畳み式の扉と、を備えることを特徴とするものである。
【０００８】
また、本発明の遊技機の可動装飾装置は、
開口部の裏側に配設され、駆動源を備えた基台と、
駆動源により作動される開閉機構によって開口部を開閉する左右一対の折り畳み式の扉と、
扉の開閉に連動して前記駆動源により開口部より突出、後退される装飾部材と、からなることを特徴とするものである。
【０００９】
上記した発明において、開閉機構は、
駆動源に接続された動力伝達部材と、この動力伝達部材によって回動され、先端が一方の扉の裏側に枢着された主動側開閉アームと、前記動力伝達部材によってリンク機構を介して回動され、先端が他方の扉の裏側に枢着された従動側開閉用アームと、からなるものとすることができる。
また、基台に装飾部材を前後方向に摺動可能として配設して、
この装飾部材に、扉を開放した後の動力伝達部材と係合して回動される進退用アームの先端を枢着したうえに、
主動側開閉アームを、扉を開放する方向に付勢部材により付勢し、
従動側開閉アームをリンク機構を介して主動側開閉アームと接続して扉を開放する方向に付勢して、
進退用アームが、装飾部材を開放された開口部より前方に押し出すようにすることができる。
【００１０】
また、進退用アームを、遊技部品が後退される方向に付勢部材により付勢することができる。
さらに、基台に前後方向に摺動可能なガイド棒を立設して、このガイド棒の先端に装飾部材を固定したうえに、
ガイド棒の左右にはローリング用ピンを下向き又は上向きに突設するとともに、装飾部材にはローリング用ピンによって押圧される突片を前後に位置をずらして配置して、
装飾部材が前後動するときにガイド棒を中心にローリングするようにすることができる。
なお、前側、前方とは遊技者側、遊技者方向をいい、後側、後方とは遊技者とは反対側、反対方向をいい、裏側とは遊技者側とは反対の側をいう。
【発明の効果】
【００１１】
請求項１に係る発明は、扉を折り畳み式としたので、折り畳んだ分開口部の間口を広く取ることができる。
請求項２に係る発明は、上記のように広くした開口部から装飾部材を突出させるので、装飾の態様に意外性を持たせることができる。
請求項３に係る発明は、一つの駆動源により左右の扉を開閉することができる。
請求項４に係る発明は、進退用アームが扉を開放した後の動力伝達部材と係合するので、このレバーによって装飾部材を開口部から前方に押し出すことができる。また、扉の開閉及び装飾部材の出入りとを同一の駆動源を用いて行うことにより、駆動源の数を減らすことができる。また、付勢部材の付勢により扉を容易に開放することができる。
請求項５に係る発明は、動力伝達部材が逆回転されたときに付勢部材の付勢により装飾部材を後退させることができる。
請求項６に係る発明は、装飾部材が前後動するときにローリング用ピンが突片を押圧するので、装飾部材をローリングさせて装飾の態様に変化を付けることができる。
【発明を実施するための最良の形態】
【００１２】
以下に本発明の実施形態を図面に基づき説明する。
図１は、本発明に係る可動装飾装置の要部を示す斜視図である。図２〜７は、可動装飾装置の扉開閉機構を示す図であって、図２〜４は扉１が開口部１１を閉鎖している状態、図５〜７は扉１が開口部１１を開放している状態である。
図１において、基台１２には正面に開口部１１を有する枠体（図示していない）が固定されている。開口部１１の左右には、図２，３に示すような扉支持部材１３が配設され、この扉支持部材１３にヒンジ１３ａを介して折り畳み式の扉１が取り付けられている。扉１は右側扉１ａと左側扉１ｂとからなる。右側扉１ａは内側扉１ｄと外側扉１ｅとからなり、左側扉１ｂは内側扉１ｆと外側扉１ｇとからなり、それぞれヒンジ１３ａ、１３ｃの部分で折りたたまれる。なお、ヒンジ１３ａ、１３ｃは扉支持部材１３、扉１の裏側に取り付けられているので、遊技者からの見栄えを損なうことはない。
【００１３】
また、基台１２には駆動源であるモータＭが配設され、その回転軸にはモータギア１４が装着されている。モータギア１４には動力伝達部材である扇状の部分ギア２が噛合され、この部分ギア２は支軸３に装着されている。扉１の開放動作時には、部分ギア２はモータＭの駆動により図２において反時計回りに回転される。
【００１４】
支軸３には、右側扉１ａの開閉アーム１５が軸着され、この開閉アーム１５の先端は右側扉１ａの裏側の端部に軸着されている。また、支軸３と対向する位置に支軸４が立設されて、この支軸４には、左側扉１ｂの開閉アーム１６が軸着され、この開閉アーム１６の先端は左側扉１ｂの裏側の端部に軸着されている。開閉アーム１６は、支軸４から反対側に延出する回動用アーム１７と一体に形成されており、この回動用アーム１７と右側扉１ａの開閉アーム１５とは、リンク棒１８で接続されている。すなわち、リンク棒１８の一端は、回動用アーム１７の先端側に軸着され、リンク棒１８の他端は、開閉アーム１５に支軸３から距離をおいて軸着されている。この距離については、リンク棒１８と回動用アーム１７との回転中心から支軸４までの距離と同じ距離であると、左右の扉１ａ、１ｂが鏡面対称の開閉動作を行うので、より望ましい。また、その場合には、この距離を半径として支軸３，４を中心に円を描き、両円間に接する接線との交点位置が、各アーム１５，１６とリンク棒１８との回転中心であることが必要となる。
【００１５】
開閉アーム１６は、下部に係止突起１６ａを有し、この係止突起１６ａに支軸４に挿着した付勢部材であるバネ４１の一端が係止されている（図３）。よって、開閉アーム１６は、左側扉１ｂを開放する時計回り方向に付勢されている。
また、開閉アーム１６の反対側の回動用アーム１７も当然に時計回り方向に付勢されているので、図２において開閉アーム１５はリンク棒１８により反時計回りの右側扉１ａを開放する方向に付勢されている。
【００１６】
開閉アーム１５の基部には係止突起１５ａが設けられ、部分ギア２は係止部２１が設けられている。リンク棒１８を介して反時計回り方向に付勢された開閉アーム１５の係止突起１５ａは、部分ギア２の係止部２１に当接されているので、扉１が閉止されている場合には開閉アーム１５の回動は規制されている。また、開閉アーム１６の回動もリンク棒１８を介して規制されている。
【００１７】
モータＭが駆動されて部分ギア２が反時計回り方向に回転された場合には、反時計回りに付勢されている開閉アーム１５は、部分ギア２の回転に追随して共に回動される。よって、右側扉１ａは図５に示すように回動される。また、左側扉１ｂもリンク棒１８を介して開閉アーム１６により右側扉１ａとともに開放される。そして、基台１２に設けたストッパー１９に係止突起２１が突き当たることによって（図１）、開閉アーム１５の回動は制止されるので、扉１の開放は完了する。
【００１８】
扉１が開放された後には、装飾部材５が前進される。以下に装飾部材５の前後動の機構について説明する。
図８〜１０は、扉１が図５の開放状態にあるときの装飾部材を示す図、図１１は装飾部材の構造を示す断面図、図１２〜１４は装飾部材が前方に押し出された状態を示す図である。この装飾部材５は、進退用アーム７により前後動するように構成されている。装飾部材５の裏側には支持台５１が突設され、この支持台５１にガイド部材６が螺着されている。
【００１９】
ガイド部材６は、垂直板６１と、垂直板６１に直交する上側板６２と下側板６３と、垂直板６１の前方に突出するボス部６４とを有する（図１１）。ボス部６４には、ガイド棒５２の先端が嵌着されており、このガイド棒５２は、基台１２に設けた円筒状の支持孔５３に摺動可能に挿着されている（図１）。
【００２０】
上側板６２にはガイド棒５２に直交する方向に延びる長孔６５が設けられ、この長孔６５に進退用アーム７の先端に設けた突起７１が長孔６５内を摺動可能に差し込まれている（図８）。進退用アーム７の基端は、部分ギア２が装着された支軸３に軸着されている。支軸３の下部には進退用アーム７を時計回り方向に付勢するバネ７３が挿着されている（図９）。そして、基端近傍には部分ギア２の端部によって押圧される突部７２が設けられている。部分ギア２にはこの突部７２を押圧可能な突片２２が設けてあるので、部分ギア２が反時計回りに回転されて、扉１解放後に突片２２が突部７２を押圧することによって、進退用アーム７が反時計回りに回動される。開閉アーム１５の係止突起１５ａはストッパー１９に当接されているので、係止部２１は係止突起１５ａから離間する（図１２）。部分ギア２の回動によって突起７１が長孔６５内を摺動しつつガイド部材６を前方に押圧する。この押圧によって、図１２〜１４に示すように、装飾部材５を前方に押し出すことができる。
【００２１】
装飾部材５を後退させる場合には、部分ギア２がモータＭにより時計廻りに回転される。これによって、バネ７３により時計回り方向に付勢されている進退用アーム７は、部分ギア２の回転に追随して時計回り方向に回転される。進退用アーム７の先端の突起７１は後退されるので、この突起７１の後退によりガイド部材６を介して装飾部材５は後退されることになる。
【００２２】
装飾部材５の後退が完了すると引き続いて扉１が閉鎖される。すなわち、部分ギア２はさらに時計廻りに回転される。この回転によって部分ギア２の係止部２１が開閉アームの係止突起１５ａに係合して係止突起１５ａが押圧され、開閉アーム１５が時計回り方向に回動されるので、右側扉１ａは閉鎖動される。また、開閉アーム１６は、開閉アーム１５に軸着されたリンク棒１８と、リンク棒１８に接続された回動用アーム１７とを介して反時計回りに回動されるので、左側扉１ｂも閉鎖動される。図２のように扉１が閉鎖されて部分ギア２の回転は停止される。
【００２３】
装飾部材５は、進退動するときにガイド棒５２を中心にローリングする。すなわち、ガイド棒５２の下側には、ガイド棒５２を中心に左右に一対のローリング用ピン５５、５６が基台１２から下向きに突設されている。これらのピン５５、５６は上向きに突設してもよいものである。ガイド部材６の下側板６３の左右両縁には、ピン５５に対応して突片６６、６７が前後に位置をずらして設けられている。
【００２４】
従って、図１５のように装飾部材５が前進して右側のピン５５が右側の突片６６を押圧したときには、装飾部材５は右側が低くローリングされる（図１６）。図１７のようにさらに装飾部材５が前進して左側のピン５６が左側の突片６７を押圧したときには、装飾部材５は左側が低くローリングされる。このローリングは装飾部材５が後退するときにも行われる。よって、装飾部材５は、進退動するときにガイド棒５２を中心にローリングされる。
【００２５】
次に演出のパターンについて説明する。本実施例における演出の態様としては、扉１が閉止され装飾部材５が退避している状態、扉１が開放され装飾部材が退避している状態、扉１が開放され装飾部材５が突出している状態の３パターンを取りうる。それぞれの態様の信頼度を、低、中、高とすることにより、一つの可動装飾部材を用いて、複数の予告演出を行うことが可能となる。なお、ここでの信頼度とは、遊技機業界において通常使われている意味を指す。すなわち、表示装置（図示していない）が変動表示を行った場合において、抽選結果が大当たりとなる確率のことであり、信頼度が高い予告演出であれば変動した結果大当たりになる確率が高く、逆に低い予告演出であれば確率が低いことを意味する。このように各態様の信頼度に変化を付けることによって遊技の興趣を盛り上げることができる。
【００２６】
以上に説明したように本発明の稼働装飾装置は、扉を折り畳み式としたので、折り畳んだ分開口部の間口を広く取ることができる。また、この広くした開口部から装飾部材を突出させるので、装飾の態様に意外性を持たせることができるという大きな利点がある。また、左右の扉部材１ａ、１ｂを共通の部材で構成しているので、成型用金型が片側一種類で済み、コストを低減することができる。扉の開閉及び装飾部材の押し出しを１つの駆動源で行っているので、駆動源の減少によるコストの低減も図ることができる。
【図面の簡単な説明】
【００２７】
【図１】可動装飾装置の要部を示す斜視図である。
【図２】扉閉鎖時の可動装飾装置の平面図である。
【図３】図２の正面図である。
【図４】図２のＡ−Ａ線断面図である。
【図５】扉開放時の可動装飾装置の平面図である。
【図６】図５の正面図である。
【図７】図５のＢ−Ｂ線断面図である。
【図８】装飾部材が後退時の可動装飾装置の平面図である。
【図９】図８の正面図である。
【図１０】図８の要部の断面図である。
【図１１】装飾部材の垂直断面図である。
【図１２】装飾部材が前進時の可動装飾装置の平面図である。
【図１３】図１２の正面図である。
【図１４】図１２の要部の断面図である。
【図１５】装飾部材の水平断面図である。
【図１６】右方にローリングした装飾部材の正面図である。
【図１７】装飾部材の水平断面図である。
【図１８】左方にローリングした装飾部材の正面図である。
【符号の説明】
【００２８】
１  扉、２  部分ギア、５  装飾部材、７  進退用アーム、１１  開口部、１５、１６  開閉アーム、１８  リンク棒、
【図１】
2007296256.tif 000003
【図２】
2007296256.tif 000004
【図３】
2007296256.tif 000005
【図４】
2007296256.tif 000006
【図５】
2007296256.tif 000007
【図６】
2007296256.tif 000008
【図７】
2007296256.tif 000009
【図８】
2007296256.tif 000010
【図９】
2007296256.tif 000011
【図１０】
2007296256.tif 000012
【図１１】
2007296256.tif 000013
【図１２】
2007296256.tif 000014
【図１３】
2007296256.tif 000015
【図１４】
2007296256.tif 000016
【図１５】
2007296256.tif 000017
【図１６】
2007296256.tif 000018
【図１７】
2007296256.tif 000019
【図１８】
2007296256.tif 000020